(57)【要約】【課題】通過帯域を調整可能にする。【解決手段】フィルタ１は、強誘電体１５を含有する誘電体から構成される板状の誘電体層６と、誘電体層６の一方の面に付着した導電材料から構成されるグランド層１４と、グランド層１４が設けられた面とは反対側になる誘電体層６の他方の面に付着した導電材料を加工して形成された送信用のストリップ線路２および受信用のストリップ線路５と、送信用のストリップ線路２とグランド層１４とに電位差を発生させる第１の蓄電池９を接続し、受信用のストリップ線路５とグランド層１４とに電位差を発生させる第２の蓄電池１３を接続する正端子８および負端子１０と、を備える。【選択図】図１
2013211705.tif 000002
【特許請求の範囲】
【請求項１】
強誘電体を含有する誘電体から構成される板状の誘電体層と、
前記誘電体層の一方の面に付着した導電材料から構成されるグランド層と、
前記グランド層が設けられた面とは反対側になる前記誘電体層の他方の面に付着した導電材料を加工して形成されたストリップ線路と、
前記ストリップ線路と前記グランド層とに電位差を発生させる直流電圧源を接続するための接続部と、
を備えるフィルタ。
【請求項２】
前記接続部は、前記直流電圧源のプラス側に接続される正端子と前記直流電圧源のマイナス側に接続される負端子とから構成される、
請求項１に記載のフィルタ。
【請求項３】
前記正端子および前記負端子は、前記誘電体層の他方の面に設けられ、
前記正端子は、前記誘電体層の他方の面に付着した導電材料からなる導線によって前記ストリップ線路に接続され、
前記負端子は、前記誘電体層を貫くビアによって前記グランド層に接続されている、
請求項２に記載のフィルタ。
【請求項４】
前記ストリップ線路は、１本であり、
前記１本のストリップ線路と前記グランド層とに発生する電位差は、信号の送信時と信号の受信時とで異なる、
請求項１から３のいずれか１項に記載のフィルタ。
【請求項５】
前記ストリップ線路は、送信用と受信用との２本からなり、
前記接続部は、前記ストリップ線路毎に設けられ、
前記直流電圧源は、前記送信用のストリップ線路と前記グランド層とに電位差を発生させる第１の蓄電池および前記受信用のストリップ線路と前記グランド層とに電位差を発生させる第２の蓄電池からなる、
請求項１から３のいずれか１項に記載のフィルタ。
【請求項６】
前記グランド層は、前記送信用のストリップ線路に対応するものと前記受信用のストリップ線路に対応するものとに分かれている、
請求項５に記載のフィルタ。
【請求項７】
前記ストリップ線路は、幅広の線路と前記幅広の線路よりも幅狭の線路とが交互に連結されたものである、
請求項１から６のいずれか１項に記載のフィルタ。
【請求項８】
前記幅広の線路の連結方向の長さは、前記幅狭の線路の連結方向の長さよりも長い、
請求項７に記載のフィルタ。
【請求項９】
請求項１から８のいずれか１項に記載のフィルタを備える通信装置。
【発明の詳細な説明】
【技術分野】
【０００１】
本発明は、フィルタおよび通信装置に関する。
【背景技術】
【０００２】
無線基地局等に設置された通信装置に搭載される例えばデュプレクサは、一般に、アンテナと送信回路との間に送信用の帯域通過フィルタ（以下、送信用のフィルタ）が接続されており、アンテナと受信回路との間に受信用の帯域通過フィルタ（以下、受信用のフィルタ）が接続されている。送信用のフィルタおよび受信用のフィルタは、それぞれの通過帯域が設計値を満たすことで、両フィルタでの所望の信号の通過損失を抑制した上で、所望の信号の送受信を可能にしている。
【０００３】
上述した送信用のフィルタや受信用のフィルタを、金属製の空洞共振器或いはセラミック製の空洞共振器を用いて構成したものが、例えば特許文献１や非特許文献１に記載されている。しかし、空洞共振器を用いて送信用のフィルタや受信用のフィルタを構成すると、フィルタのサイズや重量が大きくなり、更には、フィルタの製造コストも高くなる。そこで、例えば特許文献２に示されるように、プリント基板上の導電材料を加工して送信フィルタや受信用のフィルタを形成することで、小型化・軽量化・低コスト化を可能にしたフィルタが提案されている。
【先行技術文献】
【特許文献】
【０００４】
【特許文献１】特開２００２−０２６６０２号公報
【特許文献２】特開２００５−０７３２６５号公報
【非特許文献】
【０００５】
【非特許文献１】Gunther Dehn-Andone,Grzegorz Adamiuk,Georg Fischer著，「Using Metamaterial structures With Frequency agile basestations」，Proceedings of IEEE German Microwave Conference, Germany, 8a-5 2006
【発明の概要】
【発明が解決しようとする課題】
【０００６】
しかしながら、プリント基板上の導電材料を加工して送信用のフィルタや受信用のフィルタ形成する場合、形成されるフィルタは、プリント基板の材料定数や、導電材料の材料定数、或いは実効誘電率等のばらつきの影響を受ける。このため、形成されたフィルタの通過帯域が、設計値からずれてしまうという問題点があった。
【０００７】
本発明は、上記実情に鑑みてなされたものであり、通過帯域を調整可能なフィルタおよび通信装置を提供することを目的とする。
【課題を解決するための手段】
【０００８】
本発明の第１の観点に係るフィルタは、
強誘電体を含有する誘電体から構成される板状の誘電体層と、
前記誘電体層の一方の面に付着した導電材料から構成されるグランド層と、
前記グランド層が設けられた面とは反対側になる前記誘電体層の他方の面に付着した導電材料を加工して形成されたストリップ線路と、
前記ストリップ線路と前記グランド層とに電位差を発生させる直流電圧源を接続するための接続部と、
を備える。
【０００９】
本発明の第２の観点に係る通信装置は、第１の観点に係るフィルタを備える。
【発明の効果】
【００１０】
本発明によれば、通過帯域を調整できる。
【図面の簡単な説明】
【００１１】
【図１】（ａ）は、本発明の実施の形態１に係るフィルタの上面図であり、（ｂ）は、実施の形態１に係るフィルタの下面図であり、（ｃ）は、実施の形態１に係るフィルタをＡ−Ａ線で切断した断面図である。
【図２】実施の形態１に係るフィルタの通過特性を示す図である。
【図３】実施の形態１に係るフィルタの反射特性を示す図である。
【図４】（ａ）は、本発明の実施の形態２に係るフィルタの上面図であり、（ｂ）は、実施の形態２に係るフィルタの下面図であり、（ｃ）は、実施の形態２に係るフィルタをＡ−Ａ線で切断した断面図である。
【図５】実施の形態２に係るフィルタの通過特性を示す図である。
【図６】実施の形態２に係るフィルタの反射特性を示す図である。
【図７】（ａ）は、本発明の実施の形態３に係るフィルタの上面図であり、（ｂ）は、実施の形態３に係るフィルタの下面図であり、（ｃ）は、実施の形態３に係るフィルタをＡ−Ａ線で切断した断面図である。
【図８】実施の形態２に係るフィルタを備える通信装置の概念図である。
【図９】実施の形態３に係るフィルタを備える通信装置の概念図である。
【発明を実施するための形態】
【００１２】
（実施の形態１）
以下、本発明の実施の形態１を、図１〜３を参照して説明する。なお図中、同一または同等の部分には同一の符号を付す。
【００１３】
図１に示す実施の形態１に係るフィルタ１は、帯域通過フィルタである。フィルタ１は、図１（ａ）に示すように、板状の誘電体層６の第１の面に付着した導電材料を、例えばエッチング等で加工して形成された、送信用のストリップ線路２および受信用のストリップ線路５を備えている。
【００１４】
送信用のストリップ線路２は、送信回路から出力された信号を例えばアンテナへ伝送する帯域通過フィルタである。受信用のストリップ線路５は、アンテナで受信された信号を例えば受信回路へ伝送する帯域通過フィルタである。
【００１５】
送信用のストリップ線路２および受信用のストリップ線路５は、同一の構成である。具体的には、送信用のストリップ線路２および受信用のストリップ線路５は、それぞれ、縦方向の長さがｂの幅広の線路３と、縦方向の長さがａの、幅広の線路３よりも幅狭の線路４と、が交互に連結されたものである。幅広の線路３の横方向の長さｃおよび幅狭の線路４の横方向の長さｄは、同一である。
【００１６】
送信用のストリップ線路２および受信用のストリップ線路５が形成される誘電体層６の第１の面とは反対側になる第２の面（裏面）には、図１（ｂ）に示すように、導電材料が付着しており、この導電材料から構成されるグランド層１４が形成されている。
【００１７】
グランド層１４は、中央部分の導電材料が例えばエッチング等の加工により剥がされている。よって、グランド層１４の中央部分は、誘電体層６が露出している。このため、グランド層１４は、送信用のストリップ線路２に対応するものと受信用のストリップ線路５に対応するものとに分かれている。これにより、送信用のストリップ線路２から出た電気力線が、受信用のストリップ線路５に対応するグランド層１４に入ることを防止している。同様に、受信用のストリップ線路５から出た電気力線が、送信用のストリップ線路２に対応するグランド層１４に入ることを防止している。このように、グランド層１４を、送信用のストリップ線路２に対応するものと受信用のストリップ線路５に対応するものとに分けることで、送信用のストリップ線路２と受信用のストリップ線路５とに結合が発生し、通過帯域が設計値からずれることを防止している。
【００１８】
送信用のストリップ線路２および受信用のストリップ線路５には、それぞれ、誘電体層６の第１の面に付着した導電材料からなる第１の導線７が接続されている。送信用のストリップ線路２に接続された第１の導線７は、第１の蓄電池９のプラス側に接続される正端子８に接続されている。また、受信用のストリップ線路５に接続された第１の導線７は、第２の蓄電池１３のプラス側に接続される正端子８に接続されている。
【００１９】
第１の蓄電池９或いは第２の蓄電池１３のマイナス側に接続される負端子１０は、誘電体層６の第１の面に付着した導電材料からなる第２の導線１１に接続されている。この第２の導線１１は、金属製のビア１２に接続されている。ビア１２は、図１（ａ），（ｂ）に示すように、誘電体層６の第１の面から裏面である第２の面を貫き、誘電体層６の第２の面に付着した導電材料から構成されるグランド層１４に接続されている。
【００２０】
上述した構成によって、送信用のストリップ線路２に第１の導線７を介して接続された正端子８およびグランド層１４にビア１２を介して接続された負端子１０、言い換えれば、送信用のストリップ線路２専用として設けられた正端子８および負端子１０は、直流電圧を出力する第１の蓄電池９が両端子間に接続されると、送信用のストリップ線路２とグランド層１４とに電位差を発生させる。なお、第１の蓄電池９は、正端子８および負端子１０から取り外すことができるので、交換が可能である。
【００２１】
また、受信用のストリップ線路５に第１の導線７を介して接続された正端子８およびグランド層１４にビア１２を介して接続された負端子１０、言い換えれば、受信用のストリップ線路５専用として設けられた正端子８および負端子１０は、直流電圧を出力する第２の蓄電池１３が両端子間に接続されると、受信用のストリップ線路５とグランド層１４とに電位差を発生させる。なお、第２の蓄電池１３は、正端子８および負端子１０から取り外すことができるので、交換が可能である。
【００２２】
上述した送信用のストリップ線路２および受信用のストリップ線路５が形成された誘電体層６を図１（ａ）に示すＡ−Ａ線で切断した断面は、図１（ｃ）に示す通りである。図１（ｃ）に示すように、誘電体層６は、強誘電体１５を含有する。強誘電体１５は、外部電場（電圧）を印加しない状態でも自発分極を持ち、その分極の向きを外部電場（電圧）の印加だけで変えることができる物質である。
【００２３】
よって、送信用のストリップ線路２とグランド層１４とに電位差（電圧）を発生させると、強誘電体１５の分極の向きを変えることができるので、送信用のストリップ線路２の付近に存在する強誘電体１５の誘電率を変化させることができる。すると、送信用のストリップ線路２の通過帯域を変化させるパラメータの１つである、送信用のストリップ線路２の付近の誘電体層６の実効誘電率も変化させることができる。つまり、送信用のストリップ線路２とグランド層１４とに発生させた電位差（電圧）により、送信用のストリップ線路２の通過帯域を変化させることができる。
【００２４】
同様に、受信用のストリップ線路５とグランド層１４とに電位差（電圧）を発生させると、受信用のストリップ線路５の付近に存在する強誘電体１５の誘電率を変化させることができるので、受信用のストリップ線路５の付近の誘電体層６の実効誘電率も変化させることができる。よって、受信用のストリップ線路５とグランド層１４とに発生させた電位差（電圧）により、受信用のストリップ線路５の通過帯域を変化させることができる。
【００２５】
上述した通り、実施の形態１のフィルタ１によれば、形成された送信用のストリップ線路２の通過帯域を、送信用のストリップ線路２とグランド層１４とに発生させた電位差により、変化させることができる。同様に、フィルタ１によれば、形成された受信用のストリップ線路５の通過帯域を、受信用のストリップ線路５とグランド層１４とに発生させた電位差により、変化させることができる。よって、フィルタ１によれば、送信用のストリップ線路２や受信用のストリップ線路５の形成後も、通過帯域を調整することができる。
【００２６】
（実施例）
実施の形態１のフィルタ１の特性を評価するために、フィルタ１の実施例を作成し、実施例のフィルタ１に２．００〜２．４０ＧＨｚの信号を入力する試験を行った。
【００２７】
本実施例では、導電材料は導体であり、誘電体層６はガラスエポキシ樹脂であり、強誘電体１５はチタン酸バリウムであり、誘電体層６の厚さは０．５ｍｍである。
【００２８】
また、幅狭の線路４の縦方向の長さａは２．０ｍｍであり、幅広の線路３の縦方向の長さｂは１５．０ｍｍである。そして、幅広の線路３の横方向の長さｃおよび幅狭の線路４の横方向の長さｄは２０．０ｍｍである。つまり、送信用のストリップ線路２および受信用のストリップ線路５は、同一の構成である。
【００２９】
また、第１の蓄電池９から出力される直流電圧により、送信用のストリップ線路２の付近の誘電体層６の実効誘電率は９に調整され、第２の蓄電池１３から出力される直流電圧により、受信用のストリップ線路５の付近の誘電体層６の実効誘電率は７に調整されている。
【００３０】
図２（ａ）は、フィルタ１の実施例における送信用のストリップ線路２の通過特性（｜Ｓ２１｜）を示し、図２（ｂ）は、フィルタ１の実施例における受信用のストリップ線路５の通過特性（｜Ｓ２１｜）を示している。図２（ａ），図２（ｂ）の縦軸は、それぞれ、送信用のストリップ線路２を通過する信号の強度および受信用のストリップ線路５を通過する信号の強度を示している。なお、通過する信号の強度は、０ｄＢのとき最大になり、負数が大きくなるに従い弱くなる。つまり、０ｄＢに近い値を示すほど、信号が通過し易いことを示している。
【００３１】
また、図３（ａ）は、フィルタ１の実施例における送信用のストリップ線路２の反射特性（｜Ｓ１１｜）を示し、図３（ｂ）は、フィルタ１の実施例における受信用のストリップ線路５の反射特性（｜Ｓ１１｜）を示している。図３（ａ），図３（ｂ）の縦軸は、それぞれ、送信用のストリップ線路２の信号入力端へ戻ってくる信号の強度および受信用のストリップ線路５の信号の入力端子へ戻ってくる信号の強度を示している。なお、戻ってくる信号の強度は、０ｄＢのとき最大になり、負数が大きくなるに従い弱くなる。つまり、負数が大きいほど、入力した信号が入力端子へ戻ってこない（信号が通過し易い）ことを示している。
【００３２】
本実施例によれば、前述の通り、第１の蓄電池９から出力される直流電圧により、送信用のストリップ線路２の付近の誘電体層６の実効誘電率が９に調整されており、第２の蓄電池１３から出力される直流電圧により、受信用のストリップ線路５の付近の誘電体層６の実効誘電率が７に調整されていることから、図２に示す通り、送信用のストリップ線路２の通過帯域のピーク位置（２．０３×１０９Ｈｚ付近）は、受信用のストリップ線路５の通過帯域のピーク位置（２．２８×１０９Ｈｚ付近）と比較して、約２５０ＭＨｚ低くなった。
【００３３】
このとき、送信用のストリップ線路２の反射特性は、図３（ａ）に示す通り、通過帯域のピーク位置と同様、２．０３×１０９Ｈｚ付近で最小を示している。つまり、送信用のストリップ線路２は、２．０３×１０９Ｈｚ付近にピークを持つ帯域通過フィルタとして機能していることを示している。
【００３４】
また、受信用のストリップ線路５の反射特性は、図３（ｂ）に示す通り、通過帯域のピーク位置と同様、２．２８×１０９Ｈｚ付近で最小を示している。つまり、受信用のストリップ線路５は、２．２８×１０９Ｈｚ付近にピークを持つ帯域通過フィルタとして機能していることを示している。
【００３５】
このように、実施の形態１のフィルタ１は、送信用のストリップ線路２および受信用のストリップ線路５の長さａ，ｂ，ｃ，ｄを同一にしたにも拘わらず、即ち、送信用のストリップ線路２および受信用のストリップ線路５を同一の構成にしたにも拘わらず、送信用のストリップ線路２とグランド層１４との電位差および受信用のストリップ線路５とグランド層１４との電位差によって、送信用のストリップ線路２と受信用のストリップ線路５との通過帯域を異ならせている。よって、フィルタ１によれば、送信用のストリップ線路２や受信用のストリップ線路５の形成後も、通過帯域を調整することができる。
【００３６】
（実施の形態２）
次に、本発明の実施の形態２に係るフィルタ２１を、図４〜６を参照して説明する。フィルタ２１は、実施の形態１の幅広の線路３の横方向（線路の連結方向）の長さｃを幅狭の線路４の横方向の長さｄよりも長くしたものである。フィルタ２１のその他の構成は、実施の形態１のフィルタ１と同一である。
【００３７】
フィルタ２１は、上述の通り、幅広の線路３の横方向の長さｃを幅狭の線路４の横方向の長さｄよりも長くしている。よって、フィルタ２１の示す特性、具体的には、送信用のストリップ線路２および受信用のストリップ線路５の示す特性は、実施の形態１のフィルタ１の示す特性とは異なる。しかし、フィルタ２１は、フィルタ１と同様、形成された送信用のストリップ線路２の通過帯域を、送信用のストリップ線路２とグランド層１４とに発生させた電位差により、変化させることができる。また、フィルタ２１によれば、形成された受信用のストリップ線路５の通過帯域を、受信用のストリップ線路５とグランド層１４とに発生させた電位差により、変化させることができる。よって、フィルタ２１によれば、フィルタ１と同様、送信用のストリップ線路２や受信用のストリップ線路５の形成後も、通過帯域を調整することができる。
【００３８】
（実施例）
実施の形態２のフィルタ２１の特性を評価するために、フィルタ２１の実施例を作成し、実施例のフィルタ２１に１．８０〜２．６０ＧＨｚの信号を入力する試験を行った。
【００３９】
本実施例では、幅広の線路３の横方向の長さｃは２５．０ｍｍであり、幅狭の線路４の横方向の長さｄは１０．０ｍｍである。
【００４０】
その他の条件（誘電体層６の材料、誘電体層６の厚さ、誘電体層６の比誘電率、強誘電体１５の材料、強誘電体１５の比誘電率、強誘電体１５の誘電体層６に含有される割合、幅狭の線路４の縦方向の長さａおよび幅広の線路３の縦方向の長さｂ）は、実施の形態１の実施例と同一である。
【００４１】
よって、送信用のストリップ線路２および受信用のストリップ線路５は、同一の構成である。
【００４２】
なお、第１の蓄電池９から出力される直流電圧により、送信用のストリップ線路２の付近の誘電体層６の実効誘電率は９に調整され、第２の蓄電池１３から出力される直流電圧により、受信用のストリップ線路５の付近の誘電体層６の実効誘電率は６に調整されている。
【００４３】
図５（ａ）は、フィルタ２１の実施例における送信用のストリップ線路２の通過特性（｜Ｓ２１｜）を示し、図５（ｂ）は、フィルタ２１の実施例における受信用のストリップ線路５の通過特性（｜Ｓ２１｜）を示している。
【００４４】
また、図６（ａ）は、フィルタ２１の実施例における送信用のストリップ線路２の反射特性（｜Ｓ１１｜）を示し、図６（ｂ）は、フィルタ２１の実施例における受信用のストリップ線路５の反射特性（｜Ｓ１１｜）を示している。
【００４５】
本実施例によれば、前述の通り、第１の蓄電池９から出力される直流電圧により、送信用のストリップ線路２の付近の誘電体層６の実効誘電率が９に調整されており、第２の蓄電池１３から出力される直流電圧により、受信用のストリップ線路５の付近の誘電体層６の実効誘電率が６に調整されている。よって、図５（ａ），（ｂ）から明らかなように、送信用のストリップ線路２の通過帯域のピーク位置（２．１３×１０９Ｈｚ付近）は、受信用のストリップ線路５の通過帯域のピーク位置（２．５５×１０９Ｈｚ付近）と比較して、約４２０ＭＨｚ低くなった。
【００４６】
このとき、送信用のストリップ線路２の反射特性は、図６（ａ）に示す通り、通過帯域のピーク位置と同様、２．１３×１０９Ｈｚ付近で最小を示している。つまり、送信用のストリップ線路２は、２．１３×１０９Ｈｚ付近にピークを持つ帯域通過フィルタとして機能していることを示している。
【００４７】
また、受信用のストリップ線路５の反射特性は、図６（ｂ）に示す通り、通過帯域のピーク位置と同様、２．５５×１０９Ｈｚ付近で最小を示している。つまり、受信用のストリップ線路５は、２．５５×１０９Ｈｚ付近にピークを持つ帯域通過フィルタとして機能していることを示している。
【００４８】
このように、実施の形態２のフィルタ２１は、送信用のストリップ線路２および受信用のストリップ線路５を同一の構成にしたにも拘わらず、送信用のストリップ線路２とグランド層１４との電位差および受信用のストリップ線路５とグランド層１４との電位差によって、送信用のストリップ線路２と受信用のストリップ線路５との通過帯域を異ならせている。よって、フィルタ２１によれば、送信用のストリップ線路２や受信用のストリップ線路５の形成後も、通過帯域を調整することができる。
【００４９】
（実施の形態３）
次に、本発明の実施の形態３に係るフィルタ３１を、図７を参照して説明する。フィルタ３１は、図７（ａ）に示すように、実施の形態２の受信用のストリップ線路５だけを用いて、１本のストリップ線路２２を形成したものである。また、フィルタ３１は、正端子８が直流電圧源３２のプラス側に接続され、負端子１０が直流電圧源３２のマイナス端子に接続されている。
【００５０】
直流電圧源３２は、ストリップ線路２２を通過させる信号の周波数に応じて、具体的には、送信と受信とで周波数が異なる信号の送信時と受信時とで、正端子８と負端子１０との間に印加する直流電圧の値を変更することができる。
【００５１】
なお、フィルタ３１は、図７（ｂ）に示すように、実施の形態２のフィルタ２１と異なり、グランド層１４が分かれていない。これは、ストリップ線路２２だけが誘電体層６に形成されているので、結合を考慮する必要がないことによる。
【００５２】
上述した構成以外のフィルタ３１の構成は、実施の形態２のフィルタ２１と同一である。
【００５３】
フィルタ３１の正端子８および負端子１０に接続される直流電圧源３２は、前述の通り、信号の送信時と信号の受信時とで、正端子８と負端子１０との間に印加する直流電圧の値を変更することができる。よって、ストリップ線路２２とグランド層１４とに発生させる電位差（電圧）も、信号の送信時と信号の受信時とで異ならせることができる。これにより、フィルタ３１は、ストリップ線路２２の信号送信時の通過帯域と、ストリップ線路２２の信号受信時の通過帯域とを、異ならせることができる。従って、フィルタ３１によれば、ストリップ線路２２の形成後も、通過帯域を調整できることに加え、１本のストリップ線路２２で、送信信号のフィルタリングおよび受信信号のフィルタリングを行うことができる。
【００５４】
（実施の形態４）
次に、本発明の実施の形態４に係る通信装置４０を、図８を参照して説明する。通信装置４０は、例えば無線基地局等に設置される。通信装置４０は、アンテナ４１と、サーキュレータ（方向性結合器）４２と、実施の形態２のフィルタ２１と、送信回路４３と、受信回路４４と、を備えている。
【００５５】
アンテナ４１は、サーキュレータ４２の第１の端子に接続され、サーキュレータ４２の第２の端子は、送信用のストリップ線路２の一端に接続され、送信用のストリップ線路２の他端は、送信回路４３に接続されている。
【００５６】
上述した接続により、送信回路４３から出力された送信信号は、送信用のストリップ線路２を伝送し、サーキュレータ４２を伝送した後、アンテナ４１から電波として放射される。
【００５７】
また、サーキュレータ４２の第３の端子は、受信用のストリップ線路５の一端に接続され、受信用のストリップ線路５の他端は、受信回路４４に接続されている。
【００５８】
上述した接続により、アンテナ４１で受信された受信信号は、サーキュレータ４２を伝送し、受信用のストリップ線路５を伝送した後、受信回路４４に入力される。
【００５９】
このように、通信装置４０は、実施の形態２のフィルタ２１を備えている。よって、通信装置４０によれば、送信用のストリップ線路２や受信用のストリップ線路５の形成後も、通過帯域を調整することができる。
【００６０】
（実施の形態５）
次に、本発明の実施の形態５に係る通信装置５０を、図９を参照して説明する。通信装置５０は、例えば無線基地局等に設置される。通信装置５０は、アンテナ４１と、サーキュレータ４２と、実施の形態３のフィルタ３１と、送信回路４３と、受信回路４４と、を備えている。
【００６１】
アンテナ４１は、ストリップ線路２２の一端に接続され、送信用のストリップ線路２２の他端は、サーキュレータ４２の第１の端子に接続されている。そして、サーキュレータ４２の第２の端子は、送信回路４３に接続されている。
【００６２】
上述した接続により、送信回路３３から出力された送信信号は、サーキュレータ４２を伝送し、ストリップ線路２２を伝送した後、アンテナ４１から電波として放射される。
【００６３】
また、サーキュレータ４２の第３の端子は、受信回路４４に接続されている。
【００６４】
上述した接続により、アンテナ４１で受信された受信信号は、ストリップ線路２２を伝送し、サーキュレータ４２を伝送した後、受信回路４４に入力される。
【００６５】
このように、通信装置５０は、実施の形態３のフィルタ３１を備えている。よって、通信装置５０によれば、ストリップ線路２２の形成後も、通過帯域を調整できることに加え、１本のストリップ線路２２で、送信信号のフィルタリングおよび受信信号のフィルタリングを行うことができる。従って、通信装置５０によれば、送信用のストリップ線路および受信用のストリップ線路を有するフィルタを備える通信装置と比較して、小型化を実現できる。
【００６６】
以上、本発明の実施の形態を説明したが、この発明は上記の実施の形態に限定されず、種々の変形および応用が可能である。
【００６７】
第１の蓄電池９および第２の蓄電池１３は、一次電池でも二次電池でもどちらでもよい。また、第１の蓄電池９および第２の蓄電池１３に代えて、正端子８および負端子１０に、直流電圧源３２を接続してもよい。
【００６８】
また、実施の形態４の通信装置４０では、フィルタ２１を使用したが、これに代えて、実施の形態１のフィルタ１を使用してもよい。
【００６９】
上記の実施形態の一部又は全部は、以下の付記のようにも記載されうるが、以下には限られない。
【００７０】
（付記１）
強誘電体を含有する誘電体から構成される板状の誘電体層と、
前記誘電体層の一方の面に付着した導電材料から構成されるグランド層と、
前記グランド層が設けられた面とは反対側になる前記誘電体層の他方の面に付着した導電材料を加工して形成されたストリップ線路と、
前記ストリップ線路と前記グランド層とに電位差を発生させる直流電圧源を接続するための接続部と、
を備えるフィルタ。
【００７１】
（付記２）
前記接続部は、前記直流電圧源のプラス側に接続される正端子と前記直流電圧源のマイナス側に接続される負端子とから構成される、
付記１に記載のフィルタ。
【００７２】
（付記３）
前記正端子および前記負端子は、前記誘電体層の他方の面に設けられ、
前記正端子は、前記誘電体層の他方の面に付着した導電材料からなる導線によって前記ストリップ線路に接続され、
前記負端子は、前記誘電体層を貫くビアによって前記グランド層に接続されている、
付記２に記載のフィルタ。
【００７３】
（付記４）
前記ストリップ線路は、１本であり、
前記１本のストリップ線路と前記グランド層とに発生する電位差は、信号の送信時と信号の受信時とで異なる、
付記１から３のいずれかに記載のフィルタ。
【００７４】
（付記５）
前記ストリップ線路は、送信用と受信用との２本からなり、
前記接続部は、前記ストリップ線路毎に設けられ、
前記直流電圧源は、前記送信用のストリップ線路と前記グランド層とに電位差を発生させる第１の蓄電池および前記受信用のストリップ線路と前記グランド層とに電位差を発生させる第２の蓄電池からなる、
付記１から３のいずれかに記載のフィルタ。
【００７５】
（付記６）
前記グランド層は、前記送信用のストリップ線路に対応するものと前記受信用のストリップ線路に対応するものとに分かれている、
付記５に記載のフィルタ。
【００７６】
（付記７）
前記ストリップ線路は、幅広の線路と前記幅広の線路よりも幅狭の線路とが交互に連結されたものである、
付記１から６のいずれかに記載のフィルタ。
【００７７】
（付記８）
前記幅広の線路の連結方向の長さは、前記幅狭の線路の連結方向の長さよりも長い、
付記７に記載のフィルタ。
【００７８】
（付記９）
付記１から８のいずれかに記載のフィルタを備える通信装置。
【符号の説明】
【００７９】
１，２１，３１            フィルタ
２                        送信用のストリップ線路
３                        幅広の線路
４                        幅狭の線路
５                        受信用のストリップ線路
６                        誘電体層
７                        第１の導線
８                        正端子
９                        第１の蓄電池
１０                      負端子
１１                      第２の導線
１２                      ビア
１３                      第２の蓄電池
１４                      グランド層
１５                      強誘電体
２２                      ストリップ線路
３２                      直流電圧源
４０，５０                通信装置
４１                      アンテナ
４２                      サーキュレータ
４３                      送信回路
４４                      受信回路
【図１】
2013211705.tif 000003
【図２】
2013211705.tif 000004
【図３】
2013211705.tif 000005
【図４】
2013211705.tif 000006
【図５】
2013211705.tif 000007
【図６】
2013211705.tif 000008
【図７】
2013211705.tif 000009
【図８】
2013211705.tif 000010
【図９】
2013211705.tif 000011